(57)【特許請求の範囲】
【請求項１】
透液性トップシートと液不透過性バックシートとの間に吸収体が介在されてなる吸収性物品において、
前後方向中央部における前記トップシート表面に、前方側又は後方側に開口し、補助吸収性物品の一部又は全部が挿入されるポケットが設けられるとともに、このポケットの内面に、ポケット内に挿入された補助吸収性物品のズレを防止するズレ止め手段が設けられており、
前記トップシートの表面に液透過性のポケットシートが配置され、このポケットシートにおける幅方向両側部、幅方向両側部間における前後方向一方側の端部、幅方向両側部間における前後方向他方側の端部、及びこれら前後方向両端部間に位置する中央部のうち、前記前後方向一方側の端部及び幅方向両側部が前記トップシート表面に対して接合されるとともに、前記前後方向他方側の端部及び中央部が前記トップシート表面に接合されていないか又は剥離可能に接合されることにより、前記ポケットシートにおける前記前後方向他方側の端部及び中央部と前記トップシートとの間が、前記前後方向他方側に開口を有する前記ポケットとなるように構成されている、
ことを特徴とする吸収性物品。
【請求項２】
前記ズレ止め手段として、前記ポケットシートの前後方向他方側の端部における前記トップシート側の面、及び前記トップシートにおける前記ポケットシートの前後方向他方側の端部と対向する部分のうち、少なくとも一方に、前記ポケット内に挿入された前記補助吸収性物品の外面に粘着可能である粘着剤層が設けられている、請求項１記載の吸収性物品。
【請求項３】
前記ポケット内面のうち、前記ポケットシートにおける前記トップシート側の面、及び前記トップシートにおける前記ポケットシート側の面のいずれか一方に前記粘着剤層が設けられ、いずれか他方における前記粘着剤層と対向する部分に、粘着剤層の剥離を容易にする剥離処理が施されており、この剥離処理部分が前記粘着剤層に粘着されている、請求項１又は２記載の吸収性物品。
【請求項４】
前記ポケットシートの前記前後方向他方側の端部に、弾性伸縮部材が幅方向に伸長された状態で固定されている、請求項１〜３のいずれか１項に記載の吸収性物品。
【請求項５】
前記トップシートにおける、前記ポケットシートの前後方向他方側の端部より前記前後方向の他方側の位置に、滑り止め部が設けられている、請求項１〜４のいずれか１項に記載の吸収性物品。
【請求項６】
前記滑り止め部は、前記トップシート表面に形成された、幅方向に沿って波状に延在する溝である、請求項５記載の吸収性物品。
【請求項７】
前記トップシートの幅方向両側部に、装着者の身体側に突出する帯状の立体ギャザーが前後方向に沿って、前記ポケットシートの前後方向他方側の端部よりも前記前後方向の他方側まで延在しており、この立体ギャザーは、前記ポケットシートの幅方向両側部よりも装着者の身体側に突出している、請求項１〜６のいずれか１項に記載の吸収性物品。
【請求項８】
前記立体ギャザーのうち、前記ポケットシートの前後方向他方側の端部より前記前後方向の他方側の位置に、前記補助吸収性物品における前記ポケットからはみ出た部分の外面に粘着可能である粘着剤層が設けられている、請求項７記載の吸収性物品。
【発明の詳細な説明】
【技術分野】
【０００１】
本発明は、フラットタイプの補助吸収性物品を併用するのに適したパッドタイプ、テープタイプ、パンツタイプ等の吸収性物品に関するものである。
【背景技術】
【０００２】
成人向けの排泄物吸収性物品（おむつ）としては、パッドタイプ、テープタイプ、パンツタイプ等の基本吸収性物品の他に、これらと併用することを想定した、より小型のフラットタイプと呼ばれるものが提供されており、これらの組み合わせは特にケア施設等の介護現場において汎用されている。すなわち、こう縮が発生している装着者等の場合、上記基本吸収性物品だけでは装着者の身体表面に対して適切にフィットさせることが困難なことがあり、そのような場合、フラットタイプの補助吸収性物品をじゃばら状等の適宜の形状に変形し、身体表面と基本製品との間の隙間（又は隙間が生じやすい部分）に挟んだり、特に装着者が男性のときには円錐状に丸めて陰茎に巻き付けたりする（以下、男性巻きともいう）、といった対応が取られている（例えば、特許文献１，２参照）。
しかし、従来の基本吸収性物品では、装着者の体位変化によって補助吸収性物品の位置がズレてしまい、補助吸収性物品における排泄物の吸収が不十分となり、その結果、排泄物が基本吸収性物品の外部に漏れ出てしまうことがあった。特に男性巻きを行う場合、補助吸収性物品の裏面と基本吸収性物品との接触面が少ないにもかかわらず、基本吸収性物品の表面には前後方向の移動抑制機能が摩擦以外にないため、補助吸収性物品が背側にずれ易かった。
【先行技術文献】
【特許文献】
【０００３】
【特許文献１】特開２００６−２１２４５２号公報
【特許文献２】特開２００１−１２９０１２号公報
【発明の概要】
【発明が解決しようとする課題】
【０００４】
そこで、本発明の主たる課題は、補助吸収性物品のズレを効果的に防止することにある。
【課題を解決するための手段】
【０００５】
上記課題を解決した本発明は次記のとおりである。
＜請求項１記載の発明＞
透液性トップシートと液不透過性バックシートとの間に吸収体が介在されてなる吸収性物品において、
前後方向中央部における前記トップシート表面に、前方側又は後方側に開口し、補助吸収性物品の一部又は全部が挿入されるポケットが設けられるとともに、このポケットの内面に、ポケット内に挿入された補助吸収性物品のズレを防止するズレ止め手段が設けられており、
前記トップシートの表面に液透過性のポケットシートが配置され、このポケットシートにおける幅方向両側部、幅方向両側部間における前後方向一方側の端部、幅方向両側部間における前後方向他方側の端部、及びこれら前後方向両端部間に位置する中央部のうち、前記前後方向一方側の端部及び幅方向両側部が前記トップシート表面に対して接合されるとともに、前記前後方向他方側の端部及び中央部が前記トップシート表面に接合されていないか又は剥離可能に接合されることにより、前記ポケットシートにおける前記前後方向他方側の端部及び中央部と前記トップシートとの間が、前記前後方向他方側に開口を有する前記ポケットとなるように構成されている、
ことを特徴とする吸収性物品。
【０００６】
（作用効果）
このように、内面にズレ止め手段を有する補助吸収性物品収納用ポケットを設けることにより、補助吸収性物品を使用する際、その一部又は全部をポケット内にズレないように収納することができる。よって、補助吸収性物品のズレを効果的に防止できるようになる。
【０００７】
【０００８】
また、補助吸収性物品を男性巻きする場合、円錐状に巻いた補助吸収パッドをその軸心が前後方向に沿うように配置することになる。よって、上記のように、前後方向他方側に開口を有するポケットをトップシート上に設けることにより、陰茎の周りに円錐状に巻き付けた補助吸収パッドを先端側からポケット内に挿入し、トップシート上に拘束することができる。この状態から補助吸収パッドが陰茎から抜ける方向に移動しようとしたり、巻きが緩むように広がろうとしたり、幅方向に移動しようとしたりしても、そのようなズレ等はポケットによる拘束作用により防止される。
また、この形態において、補助吸収性物品を使用しない場合（女性が使用する場合等）や、補助吸収性物品を使用するがポケットの無い部位に使用する場合、ポケットシートとトップシートとが密着していないと、ポケットシート上の排泄物がトップシートに移行し難くなり、漏れ易くなるおそれがある。よって、ポケットシートにける前後方向他方側の端部及び中央部はトップシート表面に剥離可能に接合しておき、ポケット使用時以外はポケットシートとトップシートとを密着させておく構造にすると、ポケットの使用の有無に関係なく十分な吸収性能を確保できるため、汎用性の点で好ましいものとなる。
【０００９】
＜請求項２記載の発明＞
前記ズレ止め手段として、前記ポケットシートの前後方向他方側の端部における前記トップシート側の面、及び前記トップシートにおける前記ポケットシートの前後方向他方側の端部と対向する部分のうち、少なくとも一方に、前記ポケット内に挿入された前記補助吸収性物品の外面に粘着可能である粘着剤層が設けられている、請求項１記載の吸収性物品。
【００１０】
（作用効果）
ズレ止め手段としては、ゴム等を配置して摩擦力を上げることもできるが、粘着剤層を用いてポケット内面と補助吸収性物品とを粘着固定するのが好ましい。粘着剤層の部位は適宜定めることができるが、ポケットに挿入した補助吸収性物品は、ポケットの入口に近い部位ほどズレ易い。よって、粘着剤層の部位を上記のとおりとし、ポケットの入口の縁部で補助吸収性物品を粘着固定できるようにするのが好ましい。
【００１１】
＜請求項３記載の発明＞
前記ポケット内面のうち、前記ポケットシートにおける前記トップシート側の面、及び前記トップシートにおける前記ポケットシート側の面のいずれか一方に前記粘着剤層が設けられ、いずれか他方における前記粘着剤層と対向する部分に、粘着剤層の剥離を容易にする剥離処理が施されており、この剥離処理部分が前記粘着剤層に粘着されている、請求項１又は２記載の吸収性物品。
【００１２】
（作用効果）
吸収性物品の分野において粘着剤層を設ける場合、粘着剤層をカバーするために剥離シートを張り付けておくことが一般的であるが、その場合、使用時に剥がした剥離シートがごみとなる。よって、上記のように、剥離シートを設けずに、粘着剤層の対向面を剥離処理することにより、粘着剤層の対向部材を剥離シートとして利用するのは好ましい。
【００１３】
＜請求項４記載の発明＞
前記ポケットシートの前記前後方向他方側の端部に、弾性伸縮部材が幅方向に伸長された状態で固定されている、請求項１〜３のいずれか１項に記載の吸収性物品。
【００１４】
（作用効果）
ポケットシートの前後方向他方側の端部は、ポケットの入口の縁部を構成する部分であり、この部分が弾性伸縮部材により収縮することにより、ポケットに挿入された補助吸収性物品が、ポケットの入口により弾性的に締め付けられ、前後方向及び幅方向に移動しないように拘束される。よって、ポケットによる補助吸収性物品のズレ止め効果がより一層のものとなる。
しかも、弾性巻きした補助吸収性物品の場合、補助吸収性物品の円錐状の巻き付けが緩まないようにその周囲からポケットの入口によって弾性的に締め付けられるため、男性巻きの緩み防止効果にも優れたものとなる。
【００１５】
＜請求項５記載の発明＞
前記トップシートにおける、前記ポケットシートの前後方向他方側の端部より前記前後方向の他方側の位置に、滑り止め部が設けられている、請求項１〜４のいずれか１項に記載の吸収性物品。
【００１６】
（作用効果）
このように、トップシートに滑り止め部を設けることにより、補助吸収性物品がポケットから抜け出すのを防止することができる。
【００１７】
＜請求項６記載の発明＞
前記滑り止め部は、前記トップシート表面に形成された、幅方向に沿って波状に延在する溝である、請求項５記載の吸収性物品。
【００１８】
（作用効果）
このような滑り止めの溝がトップシート表面に形成されていると、補助吸収性物品におけるポケットからはみ出た部分が溝に引っ掛かることにより、滑り止め効果が発揮され、補助吸収性物品がポケットから抜け出すのを防止される。また、トップシート表面に溝を設けること自体は吸収性物品の分野において汎用されており、装着感や吸収性能を悪化させ難く、さらに製造も容易である。
【００１９】
＜請求項７記載の発明＞
前記トップシートの幅方向両側部に、装着者の身体側に突出する帯状の立体ギャザーが前後方向に沿って、前記ポケットシートの前後方向他方側の端部よりも前記前後方向の他方側まで延在しており、この立体ギャザーは、前記ポケットシートの幅方向両側部よりも装着者の身体側に突出している、請求項１〜６のいずれか１項に記載の吸収性物品。
【００２０】
（作用効果）
ポケット内に補助吸収性物品を挿入した状態では、ポケットが膨らみ、ポケット表面を伝って幅方向に移動する排泄物が立体ギャザーを越えて漏れ出すおそれがある。よって、上記のように、立体ギャザーをポケットシートの幅方向両側部よりも装着者の身体側に突出させて、ポケット表面を伝って幅方向に移動する排泄物を立体ギャザーでより確実に遮断できるようにするのは好ましい形態である。
【００２１】
＜請求項８記載の発明＞
前記立体ギャザーのうち、前記ポケットシートの前後方向他方側の端部より前記前後方向の他方側の位置に、前記補助吸収性物品における前記ポケットからはみ出た部分の外面に粘着可能である粘着剤層が設けられている、請求項７記載の吸収性物品。
【００２２】
（作用効果）
この場合、補助吸収性物品におけるポケットからはみ出た部分に、立体ギャザーを粘着剤層を介して粘着することができる。よって、補助吸収性物品におけるポケットからはみ出た部分を幅方向両側から立体ギャザーで支持・拘束することができ、補助吸収性物品全体としてのズレ止め効果の向上はもちろん、はみ出し部分のズレや捲れを効果的に防止できるようになる。
【発明の効果】
【００２３】
以上のとおり、本発明によれば、補助吸収性物品のズレを効果的に防止できるようになる、等の利点がもたらされる。
【図面の簡単な説明】
【００２４】
【図１】第１の形態の展開状態の表面側を示す平面図である。
【図２】第１の形態の展開状態の裏面側を示す平面図である。
【図３】図１のＹ−Ｙ断面図である。
【図４】図１のＺ−Ｚ断面図である。
【図５】図１のＸ−Ｘ断面図である。
【図６】補助吸収性物品の展開状態の表面側を示す平面図である。
【図７】補助吸収性物品の展開状態の裏面側を示す平面図である。
【図８】男性巻き状態の補助吸収性物品を示す斜視図である。
【図９】男性巻きした補助吸収性物品をポケットに装着した状態の斜視図である。
【図１０】男性巻きした補助吸収性物品をポケットに装着した状態の要部を示す縦断面図である。
【図１１】男性巻きした補助吸収性物品をポケットに装着した状態の要部を示す横断面図である。
【図１２】第２の形態の展開状態の表面側を示す平面図である。
【図１３】図１２のＸ−Ｘ断面図である。
【図１４】男性巻きした補助吸収性物品をポケットに装着した状態の要部を示す縦断面図である。
【図１５】第３の形態の展開状態の表面側を示す平面図である。
【図１６】図１５のＸ−Ｘ断面図である。
【図１７】男性巻きした補助吸収性物品をポケットに装着した状態の要部を示す横断面図である。
【発明を実施するための形態】
【００２５】
以下、本発明の一実施形態についてパッドタイプ吸収性物品の例を引いて説明するが、テープタイプ、パンツタイプ等の吸収性物品にも適用できるものである。なお、以下の説明において「股間部」とは使用時に身体の股間と対応させる部分を意味し、殆ど多くの製品では前後方向中央部及びその前後近傍の部分である。具体的には、成人向け製品の場合、製品の前後方向中央を基準として±１５０ｍｍの範囲である。また、「腹側部分」及び「前側部分」は股間部よりも前側の部分を意味し、「背側部分」及び「後側部分」は股間部よりも後側の部分を意味する。
【００２６】
（基本構造の例）
図１〜図４は、パッドタイプ吸収性物品の一例２００を示している。このパッドタイプ吸収性物品２００は、股間部Ｃ２と、その前後両側に延在する腹側部分Ｆ２及び背側部分Ｂ２とを有しており、液不透過性のバックシート２１の内面と、透液性トップシート２２との間に、吸収体２３が介在された基本構造を有するものである。
【００２７】
パッドタイプ吸収性物品２００の各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００２８】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は適宜定めることができ、図示例では太もも内側に対するフィット性を高めるために、股間部Ｃ２を含む前後方向中間領域が脚周りに沿う括れた形状となっているが、長方形状等とすることもできる。
【００２９】
吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００３０】
吸収体２３の裏面側には、バックシート２１が吸収体３の周縁より所定長さ食み出すように設けられている。バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。このような透湿性シートにおいても臭気の透過は抑制される。パッドタイプ吸収性物品の裏面を布のような肌触りとするために、バックシート２１の外面に不織布等の外装シート２１Ｃを張り合わせたり、バックシート２１として外面に不織布をラミネートしたラミネートシートを用いたりすることができる。これらの不織布の原料繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３１】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３２】
パッドタイプ吸収性物品２００の前後方向両端部では、透液性トップシート１が吸収体３の前後端よりも前後両側にそれぞれ延在されて貼り合わされ、吸収体２３の存在しないエンドフラップ部ＥＦが形成されている。
【００３３】
パッドタイプ吸収性物品２００の両側部では、バックシート２１が吸収体２３の側縁よりも外側にそれぞれ延在されるとともに、この延在部からトップシート２２の側部までの部分の表面に対して、立体ギャザーＧをなすギャザーシート２４の幅方向外側の部分２４ｘが前後方向全体にわたり貼り付けられ、これにより吸収体２３の存在しないサイドフラップ部ＳＦが構成されている。これら貼り合わせ部分は、図９及び図１０では点模様で示されており、ホットメルト接着剤、ヒートシール、超音波シールにより形成できる。
【００３４】
エンドフラップ部ＥＦ及びサイドフラップ部ＳＦ以外の吸収体介在部分が、排泄物の主吸収領域である本体部ＢＤを構成する。エンドフラップ部ＥＦ及びサイドフラップ部ＳＦの寸法は適宜定めることができるが、エンドフラップ部ＥＦ及びサイドフラップ部ＳＦにおいてバックシート２１と透液性トップシート２２およびギャザーシート２４とが確実に貼り合わせられるため、少なくとも一部が本体部との境界から１０ｍｍ以上食み出しているのが好ましい。
【００３５】
図示形態では、サイドフラップ部ＳＦの側縁は、吸収体の側縁に合わせて前後方向中間が脚周りに沿うように括れているが、括れの無い長方形状であってもよい。また、このような脚周りに沿う括れ部分を設ける場合、括れ部分の位置を前後方向中央より一方側に偏倚させ、当該一方側の部分における前後長を短くし、他方側の部分における前後長を長くし、当該一方側の部分を前、当該他方側の部分を後とすること（順方向装着）が一般的となっている。これは、臀部までを広くカバーする通常の装着状態や女性装着者を想定した場合、括れ部分の前後方向両側のうち前後長が長い方を装着状態における後とするのが望ましいからであり、図示形態における腹側部分Ｆ２及び背側部分Ｂ２はこれに応じたものである。しかし、装着の向きはユーザーが自由に変更できるものであり、例えば、男性における排尿の吸収性を高める場合等は、括れ部分の前後方向両側のうち前後長が長い方を装着状態における前とする、つまり背側部分Ｂ２が腹側に位置するように装着すること（逆方向装着）も行われている。
【００３６】
ギャザーシート２４の素材としては、プラスチックシートやメルトブローン不織布を使用することもできるが、肌への感触性の点で、不織布にシリコンなどにより撥水処理をしたものが好適に使用される。
【００３７】
ギャザーシート２４の幅方向中央側の部分２４ｃはトップシート２２上にまで延在しており、その幅方向中央側の端部には、細長状弾性部材２４ｇが前後方向に沿って伸張状態でホットメルト接着剤等により固定されている。この細長状弾性部材２４ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３８】
また、両ギャザーシート２４，２４は、幅方向外側の部分２４ｘが前後方向全体にわたり物品内面（図示形態ではトップシート２２表面およびバックシート２１表面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１０に示されるように、物品内面（図示形態ではトップシート２２表面）に対して起立可能なバリヤー部となる部分であり、その起立基端２４ｂはギャザーシート２４における幅方向外側の固定部分２４ｘと内側の部分２４ｃとの境に位置する。
【００３９】
（第１の形態）
特徴的には、トップシート２２表面に、補助吸収性物品１００の一部又は全部が挿入されるポケット２５が設けられるとともに、ポケット２５の内面には、ポケット２５内に挿入された補助吸収性物品１００のズレを防止するズレ止め手段３０が設けられる。このように、内面にズレ止め手段３０を有する補助吸収性物品収納用ポケット２５を設けることにより、補助吸収性物品１００を使用する際、その一部又は全部をポケット２５内にズレないように収納することができる。よって、補助吸収性物品１００のズレを効果的に防止できるようになる。
【００４０】
補助吸収性物品１００としては、図５及び図６に示すような、バックシート１とトップシート２との間に吸収体３を介在させてなるフラットタイプの吸収性物品の他、予め筒状、円錐形状、蛇腹状等の立体形状に形成されたものも用いることができる。また、図示例のフラットタイプの補助吸収性物品１００は、両側部におけるトップシート２とバックシート１との間に細長状の弾性伸縮部材４が前後方向に沿って伸長状態で固定されているが、このような弾性伸縮部材４は省略することもできる。さらに、図示例のフラットタイプの補助吸収性物品１００は、裏面の長手方向一方側に粘着剤層５が設けられており、図７に示すように男性巻きする際、対向面相互を粘着剤層５で粘着できるようになっているが、このような粘着剤層５は省略することもできる。
【００４１】
補助吸収性物品１００におけるトップシート２、吸収体３としては上述のパッドタイプ吸収性物品２００と同様の素材を使用でき、またバックシート１としては上述のパッドタイプ吸収性物品２００と同様の液不透過性素材の他、トップシート２と同様の液透過性素材を用いることもできる。さらに、補助吸収性物品１００は、装着状態において少なくとも一部がポケット２５に挿入可能であれば寸法・形状は適宜定めることができるが、通常の場合、補助吸収性物品１００の幅Ｗ２は、両立体ギャザーＧの起立基端２４ｂの幅方向間隔２４ｗよりも狭く（例えば３０〜９０％程度）、補助吸収性物品１００の長さＬ２は、組み合わせる吸収性物品２００の長さ（前後方向）Ｌ１よりも短く（例えば２０〜９０％程度）するのが好ましい。
【００４２】
ポケット２５は、表裏方向の液透過性を有するのが望ましいが、表裏方向に液を透過しないものであっても良い。本発明では、トップシート２２を利用し、トップシート２２とその表面に配置された液透過性のポケットシート２６とでポケット２５を構成する。ポケットシート２６の素材としては、トップシート２２と同様の素材を用いることができる。
【００４３】
より詳細には、ポケットシート２６における幅方向両側部２６ｓ、幅方向両側部２６ｓ間における前端部２６ｆ（一方側の端部）、幅方向両側部２６ｓ間における後端部２６ｂ（他方側の端部）、及びこれら前後方向両端部間に位置する中央部２６ｃのうち、前端部２６ｆ及び幅方向両側部２６ｓがトップシート２２表面に対して接合される。この接合は、ホットメルト接着剤や、ヒートシール、超音波シール等の溶着により、通常の操作では剥離しないように強固に固定される。また、この接合は、ポケットシート２６の周方向に連続的とするほか、間欠的とすることもできる。一方、ポケットシート２６における後端部２６ｂ及び中央部２６ｃはトップシート２２表面に接合されず、自由部分となる。その結果、ポケットシート２６における後端部２６ｂ及び中央部２６ｃとトップシート２２との間が、後方側に開口するポケット２５となる。
【００４４】
ポケット２５の向きは適宜定めることができる。図示例は前述の逆方向装着において男性巻きの補助吸収性物品１００を固定する場合を想定したものであるが、順方向装着において男性巻きの補助吸収性物品１００を固定する場合にはポケット２５の向きが図示例とは反対となる。補助吸収性物品１００を男性巻きする場合、円錐状に巻いた補助吸収パッドをその軸心が前後方向に沿うように配置することになる。よって、逆方向装着を想定した場合、図示例のようにポケット２５を後方側に開口させることで、陰茎の周りに円錐状に巻き付けた補助吸収パッドをその先端側からポケット２５内に挿入し、トップシート２２上に拘束することができる。この状態から補助吸収パッドが陰茎から抜ける方向に移動しようとしたり、巻きが緩むように広がろうとしたり、幅方向に移動しようとしたりしても、そのようなズレ等はポケット２５による拘束作用により防止される。
【００４５】
ただし、補助吸収性物品１００を使用しない場合（女性が使用する場合等）や、補助吸収性物品１００を使用するがポケット２５の無い部位に使用する場合、ポケットシート２６とトップシート２２とが密着していないと、ポケットシート２６上の排泄物がトップシート２２に移行し難くなり、漏れ易くなるおそれがある。よって、ポケットシート２６にける後端部２６ｂ及び中央部２６ｃの一部（開口縁部等）又は全部をトップシート２２表面に対して剥離可能（粘着剤や不織布等、他の素材を伴って剥離する場合を含む）に接合しておき、ポケット２５使用時以外はポケットシート２６とトップシート２２とを密着させておく構造にすると、ポケット２５の使用の有無に関係なく十分な吸収性能を確保できるため、汎用性の点で好ましいものとなる。なお、このような剥離可能な接合は、弱い接着剤や融着、あるいはエンボス加工による圧着により行うことができる。
【００４６】
ポケット２５（ポケットシート２６の前端部２６ｆ及び幅方向両側部２６ｓを除いた部分）の寸法は適宜定めることができるが、通常の場合、ポケット２５の長さＬ３（前後方向）は、物品全長Ｌ１の１０〜８０％とすることができ、ポケット２５の幅Ｗ３は、両立体ギャザーＧの起立基端２４ｂの幅方向間隔２４Ｗの４０〜１００％とすることができる。
【００４７】
ポケット２５の位置は、図示例ではほぼ前後方向中央かつ幅方向中央となっているが、前側又は後側に偏倚させたり、幅方向一方側に偏倚させたりすることも可能である。また、ポケット２５の開口は、挿入空間の前端部２６ｆ、後端部２６ｂのみならず、両側部２６ｓ、前後方向中間部、又は幅方向中間部に設けることもできる。特に、ポケット２５の開口が挿入空間の前端部２６ｆ又は後端部２６ｂに位置する場合、ポケット２５の開口縁（図示例では後端）は、装着時に腹側となる物品の端縁（図示例の場合後端縁）から装着時に背側となる物品の端縁（図示例の場合前端縁）までを０〜１００％としたとき、０〜７０％の範囲内に位置しているのが好ましい。
【００４８】
他方、ズレ止め手段３０としては、ゴム等の摩擦力の高い樹脂を塗布して摩擦力を上げることもできるが、補助吸収性物品１００の外面に粘着可能である粘着剤層を用いてポケット２５内面と補助吸収性物品１００とを粘着固定するのが好ましい。粘着剤層３０の部位は適宜定めることができるが、ポケット２５に挿入した補助吸収性物品１００は、ポケット２５の入口に近い部位ほどズレ易い。よって、粘着剤層３０は、ポケットシート２６の後端部２６ｂにおけるトップシート２２側の面、及びトップシート２２におけるポケットシート２６の後端部２６ｂと対向する部分のうち、いずれか一方若しくは両方に設け、ポケット２５の入口の縁部で補助吸収性物品１００を粘着固定できるようにするのが好ましい。もちろん、ポケットシート２６の中央部２６ｃについても同様に固定することができる。また、この粘着剤層３０は、粘着範囲の全体にわたり連続的に延在させるほか、点状や線状の粘着剤層３０を間欠的に多数配置することもできる。
【００４９】
粘着剤層３０を設ける場合、図５に示すように、粘着剤層３０をカバーするために剥離シート３１を張り付けておくことが一般的であるが、その場合、使用時に剥がした剥離シート３１がごみとなる。よって、トップシート２２におけるポケットシート２６対向面及びポケットシート２６におけるトップシート２２対向面のうち粘着剤層３０と対向する部分に、粘着剤層３０の剥離を容易にする剥離処理（シリコン等の離型材を塗布）を施して、この剥離処理部分を粘着剤層３０に粘着させ、剥離シート３１を設けずに粘着剤層３０の対向部材を剥離シート３１として利用するのは好ましい形態である（図示略）。
【００５０】
（第２の形態）
ポケットシート２６の後端部２６ｂは、ポケット２５の入口の縁部を構成する部分である。よって、図１１〜図１３に示すように、この開口縁部に口締め用の弾性伸縮部材２６ｇ（糸ゴム等）を幅方向に伸長状態で固定するのも好ましい形態である。この弾性伸縮部材２６ｇとしては、立体ギャザーＧのものと同様の細長状弾性伸縮部材を好適に用いることができる。ポケット２５の開口縁部が弾性伸縮部材２６ｇにより収縮することにより、ポケット２５に挿入された補助吸収性物品１００が、ポケット２５の入口により弾性的に締め付けられ、前後方向及び幅方向に移動しないように拘束される。よって、ポケット２５による補助吸収性物品１００のズレ止め効果がより一層のものとなる。しかも、弾性巻きした補助吸収性物品１００の場合、補助吸収性物品１００の円錐状の巻き付けが緩まないようにその周囲からポケット２５の入口によって弾性的に締め付けられるため、男性巻きの緩み防止効果にも優れたものとなる。さらに、副次的な効果として、トップシート２２の両側部に立体ギャザーＧを有する場合、立体ギャザーＧを引き寄せて起立させる効果もある。
【００５１】
なお、このようにポケットシート２６に弾性伸縮部材２６ｇを設けると、ポケットシート２６が幅方向に収縮し、しわが寄る。よって、このような場合には、ポケット内に設けるズレ止め粘着剤層３０は、ポケットシート２６に設けるよりも、図示例のようにトップシート２２上に設けるのが好ましい。
【００５２】
（第３の形態）
補助吸収性物品１００はポケット２５内のズレ止め手段によりズレ止めされているとはいえ、ポケット２５から抜け出すおそれもある。よって、トップシート２２における、ポケットシート２６の後端部２６ｂより後方側の位置、特にポケットシート２６の後端部２６ｂ近傍に滑り止め部４０を設け、補助吸収性物品１００がポケット２５から抜け出すのを防止するのは好ましい形態である。この滑り止め部４０は、トップシート２２表面にゴム等の摩擦力の高い樹脂を塗布することにより形成しても良いが、肌に触れる部分であるため注意が必要である。そこで、図１５及び図１６に示すように、トップシート２２表面に形成された、幅方向に沿って波状に延在する溝４０により、滑り止め部を構成することも提案される。このような溝４０がトップシート２２表面に形成されていると、補助吸収性物品１００におけるポケット２５からはみ出た部分が溝４０に引っ掛かることにより、滑り止め効果が発揮される。また、トップシート２２表面に溝４０を設けること自体は吸収性物品の分野において汎用されており、装着感や吸収性能を悪化させ難く、さらに製造も容易である。このような溝４０は、エンボス加工等を用いて、トップシート２２のみ、又はトップシート２２表面からその下側部材、特に吸収体２３内まで窪むように形成することができる。また、この滑り止め溝４０はポケット２５内のトップシート２２表面に設けることも可能である。溝４０の寸法は適宜定めることができるが、溝４０の幅は０．５〜５ｍｍ程度、溝４０の深さは０．５〜１０ｍｍ程度、溝４０の幅方向延在長さは両立体ギャザーＧの起立基端２４ｂの幅方向間隔２４Ｗの２０〜１００％とすることができる。溝４０の形状は図示例のように波状とするほか直線状としても良い。さらに、溝４０の延在方向は、幅方向だけでなく、幅方向に対して傾斜していても良い。
【００５３】
（第４の形態）
ポケット２５内に補助吸収性物品１００を挿入した状態では、ポケット２５が膨らみ、ポケット２５表面を伝って幅方向に移動する排泄物が立体ギャザーＧを越えて漏れ出すおそれがある。そこで、トップシート２２の幅方向両側部に設けられる立体ギャザーＧを、ポケットシート２６の幅方向両側部２６ｓよりも装着者の身体側に突出させ、ポケット２５表面を伝って幅方向に移動する排泄物を立体ギャザーＧでより確実に遮断することも提案される。このような構造は、ポケットシート２６の幅方向両側部２６ｓを両立体ギャザーＧの起立基端２４ｂ間に位置させたり、立体ギャザーＧの起立部分における起立基端２４ｂ側の部分に固定したりすることでも可能となるが、図４に示すように、ポケットシート２６における幅方向両側部２６ｓを、ギャザーシート２４における幅方向外側の固定部分２４ｘとトップシート２２の側部との間に挟んで接着固定すると、図１１に示すように、立体ギャザーＧによる漏れ防止効果を確保できるだけでなく、立体ギャザーＧが補助吸収性物品１００を幅方向両側から支持するようになるため好ましい。また、立体ギャザーのポケット２５内に補助吸収性物品１００を挿入すると、ポケットが膨らむのにつれてポケットシートの両側部が幅方向中央側へ引き寄せられ、立体ギャザーの起立起端２４ｂの位置が装着者の身体側に持ち上げられるという利点もある。
【００５４】
（第５の形態）
装着状態において補助吸収性物品１００がポケット２５からはみ出す場合、そのはみ出し部分がズレたり、捲れたりし、所望の吸収性能が得られないおそれがある。そこで、図１７に示すように、立体ギャザーＧのうち、ポケットシート２６の後端部２６ｂより後方側の位置に粘着剤層２６Ｄを設け、補助吸収性物品１００におけるポケット２５からはみ出た部分に立体ギャザーＧを粘着する形態も提案する。これにより、補助吸収性物品１００におけるポケット２５からはみ出た部分を幅方向両側から立体ギャザーＧで支持・拘束することができ、補助吸収性物品１００全体としてのズレ止め効果の向上はもちろん、はみ出し部分のズレや捲れを効果的に防止できるようになる。
【産業上の利用可能性】
【００５５】
本発明は、補助吸収性物品と組み合わせうる吸収性物品である限り、その形状がパッドタイプであろうと、テープタイプであろうと、パンツタイプであろうと利用可能である。
【符号の説明】
【００５６】
１，２１…バックシート、２，２２…透液性トップシート、３，２３…吸収体、４…弾性伸縮部材、Ｇ…立体ギャザー、１００…フラットタイプ補助吸収性物品、２００…パッドタイプ吸収性物品。
【図１】
0005612853.tif 000002
【図２】
0005612853.tif 000003
【図３】
0005612853.tif 000004
【図４】
0005612853.tif 000005
【図５】
0005612853.tif 000006
【図６】
0005612853.tif 000007
【図７】
0005612853.tif 000008
【図８】
0005612853.tif 000009
【図９】
0005612853.tif 000010
【図１０】
0005612853.tif 000011
【図１１】
0005612853.tif 000012
【図１２】
0005612853.tif 000013
【図１３】
0005612853.tif 000014
【図１４】
0005612853.tif 000015
【図１５】
0005612853.tif 000016
【図１６】
0005612853.tif 000017
【図１７】
0005612853.tif 000018